(57)【特許請求の範囲】
【請求項１】
ＡＴＭコネクションのサービスクラスを基準として、ＡＴＭレイヤにおけるＡＴＭコネクションと無線レイヤにおける無線コネクションの対応関係を定義する定義手段と、ＡＴＭコネクションからデータを入力すると、上記定義手段により定義された対応関係を参照して、そのＡＴＭコネクションに対応する無線コネクションにデータを転送する転送手段とを備えた無線通信システムにおいて、上記定義手段は、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けることを特徴とする無線通信システム。
【請求項２】
ＡＴＭコネクションのサービスクラスを基準として、ＡＴＭレイヤにおけるＡＴＭコネクションと無線レイヤにおける無線コネクションの対応関係を定義する定義手段と、ＡＴＭコネクションからデータを入力すると、上記定義手段により定義された対応関係を参照して、そのＡＴＭコネクションに対応する無線コネクションにデータを転送する転送手段とを備えた無線通信システムにおいて、上記定義手段は、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けることを特徴とする無線通信システム。
【請求項３】
ＡＴＭコネクションのサービスクラスを基準として、ＡＴＭレイヤにおけるＡＴＭコネクションと無線レイヤにおける無線コネクションの対応関係を定義する定義手段と、無線コネクションからデータを入力すると、上記定義手段により定義された対応関係を参照して、その無線コネクションに対応するＡＴＭコネクションにデータを転送する転送手段とを備えた無線通信システムにおいて、上記定義手段は、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けることを特徴とする無線通信システム。
【請求項４】
ＡＴＭコネクションのサービスクラスを基準として、ＡＴＭレイヤにおけるＡＴＭコネクションと無線レイヤにおける無線コネクションの対応関係を定義する定義手段と、無線コネクションからデータを入力すると、上記定義手段により定義された対応関係を参照して、その無線コネクションに対応するＡＴＭコネクションにデータを転送する転送手段とを備えた無線通信システムにおいて、上記定義手段は、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けることを特徴とする無線通信システム。
【請求項５】
ＡＴＭコネクションのサービスクラスを基準として、ＡＴＭレイヤにおけるＡＴＭコネクションと無線レイヤにおける無線コネクションの対応関係を定義する定義手段と、ＡＴＭコネクションからデータを入力すると、上記定義手段により定義された対応関係を参照して、そのＡＴＭコネクションに対応する無線コネクションにデータを転送する一方、無線コネクションからデータを入力すると、その対応関係を参照して、その無線コネクションに対応するＡＴＭコネクションにデータを転送する転送手段とを備えた無線通信システムにおいて、上記定義手段は、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けることを特徴とする無線通信システム。
【請求項６】
ＡＴＭコネクションのサービスクラスを基準として、ＡＴＭレイヤにおけるＡＴＭコネクションと無線レイヤにおける無線コネクションの対応関係を定義する定義手段と、ＡＴＭコネクションからデータを入力すると、上記定義手段により定義された対応関係を参照して、そのＡＴＭコネクションに対応する無線コネクションにデータを転送する一方、無線コネクションからデータを入力すると、その対応関係を参照して、その無線コネクションに対応するＡＴＭコネクションにデータを転送する転送手段とを備えた無線通信システムにおいて、上記定義手段は、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けることを特徴とする無線通信システム。
【請求項７】
定義手段は、ＡＴＭコネクションのサービスパラメータを考慮して、ＡＴＭコネクションと無線コネクションの対応関係を定義することを特徴とする請求項１から請求項６のうちのいずれか１項記載の無線通信システム。
【請求項８】
ＡＴＭコネクションのサービスクラスを基準として、ＡＴＭレイヤにおけるＡＴＭコネクションと無線レイヤにおける無線コネクションの対応関係を定義する一方、ＡＴＭコネクションからデータを入力すると、その対応関係を参照して、そのＡＴＭコネクションに対応する無線コネクションにデータを転送する無線通信方法において、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けることを特徴とする無線通信方法。
【請求項９】
ＡＴＭコネクションのサービスクラスを基準として、ＡＴＭレイヤにおけるＡＴＭコネクションと無線レイヤにおける無線コネクションの対応関係を定義する一方、ＡＴＭコネクションからデータを入力すると、その対応関係を参照して、そのＡＴＭコネクションに対応する無線コネクションにデータを転送する無線通信方法において、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けることを特徴とする無線通信方法。
【請求項１０】
ＡＴＭコネクションのサービスクラスを基準として、ＡＴＭレイヤにおけるＡＴＭコネクションと無線レイヤにおける無線コネクションの対応関係を定義する一方、無線コネクションからデータを入力すると、その対応関係を参照して、その無線コネクションに対応するＡＴＭコネクションにデータを転送する無線通信方法において、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けることを特徴とする無線通信方法。
【請求項１１】
ＡＴＭコネクションのサービスクラスを基準として、ＡＴＭレイヤにおけるＡＴＭコネクションと無線レイヤにおける無線コネクションの対応関係を定義する一方、無線コネクションからデータを入力すると、その対応関係を参照して、その無線コネクションに対応するＡＴＭコネクションにデータを転送する無線通信方法において、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けることを特徴とする無線通信方法。
【請求項１２】
ＡＴＭコネクションのサービスクラスを基準として、ＡＴＭレイヤにおけるＡＴＭコネクションと無線レイヤにおける無線コネクションの対応関係を定義する一方、ＡＴＭコネクションからデータを入力すると、その対応関係を参照して、そのＡＴＭコネクションに対応する無線コネクションにデータを転送し、無線コネクションからデータを入力すると、その対応関係を参照して、その無線コネクションに対応するＡＴＭコネクションにデータを転送する無線通信方法において、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けることを特徴とする無線通信方法。
【請求項１３】
ＡＴＭコネクションのサービスクラスを基準として、ＡＴＭレイヤにおけるＡＴＭコネクションと無線レイヤにおける無線コネクションの対応関係を定義する一方、ＡＴＭコネクションからデータを入力すると、その対応関係を参照して、そのＡＴＭコネクションに対応する無線コネクションにデータを転送し、無線コネクションからデータを入力すると、その対応関係を参照して、その無線コネクションに対応するＡＴＭコネクションにデータを転送する無線通信方法において、サービス品質の要求が厳しいクラスに属するＡＴＭコネクションについては無線コネクションと１対１で対応付けて、サービス品質の要求が緩やかなクラスに属するＡＴＭコネクションについては無線コネクションと多対１で対応付ける一方、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けることを特徴とする無線通信方法。
【発明の詳細な説明】
【０００１】
【発明の属する技術分野】
この発明は、ＡＴＭ伝送を実施する無線通信システム及び無線通信方法に関するものである。
【０００２】
【従来の技術】
近年、広帯域ＩＳＤＮ（Ｉｎｔｅｇｒａｔｅｄ  Ｓｅｒｖｉｃｅ  Ｄｉｇｉｔａｌ  Ｎｅｔｗｏｒｋ）の主流技術としてＡＴＭが注目されている。
ＡＴＭは、マルチメディア通信に適しており、データの種類によって伝送品質を設定することができるという特徴を持っている。
【０００３】
伝送品質は「サービスクラス」と呼ばれており、ＣＢＲ，ｒｔ−ＶＢＲ，ｎｒｔ−ＶＢＲ，ＡＢＲ，ＵＢＲの５種類が規定されている。図１０は各サービスクラスの概要を示すが、ＣＢＲは、常に一定帯域を割り当てておき、常時ビット列を流しておく必要がある音声データや動画像データの伝送に適している。
ＶＢＲは、速度可変で保証帯域が設定できるサービスクラスであり、リアルタイム性を保証するのがｒｔ−ＶＢＲ、保証しないのがｎｒｔ−ＶＢＲである。
【０００４】
ＡＢＲは、ＣＢＲやＶＢＲと異なり、フロー制御をサポートする。ＡＢＲでは、ＲＭ（Ｒｅｓｏｕｒｃｅ  Ｍａｎａｇｅｍｅｎｔ）セルという、フロー制御用の特殊なセルを用いて、輻輳の発生の有無や、転送速度の変更を端末やＡＴＭスイッチに伝達し、端末やＡＴＭスイッチは、そのＲＭセルの情報に基づいてデータ送出量を調整し、フローコントロールを実現する。
ＵＢＲは、何も保証しないサービスクラスであり、従来のＩＰネットワークと同じく、ベストエフォート型のデータ通信である。
【０００５】
これらの「サービスクラス」毎に、更に細かな品質を表現するため、通信データのトラヒック特性を表すパラメータ（トラヒックパラメータ）と、ＡＴＭネットワークに要求するパラメータ（品質要求パラメータ）の２種類が存在する。
図１１はこれらのパラメータの概要を示すが、これらを総称して「サービスパラメータ」と呼ぶこととする。
【０００６】
トラヒックパラメータは、ＰＣＲ（ｐｅａｋ  ｃｅｌｌ  ｒａｔｅ），ＳＣＲ（ｓｕｓｔａｉｎａｂｌｅ  ｃｅｌｌ  ｒａｔｅ），ＭＣＲ（ｍｉｎｉｍｕｍ  ｃｅｌｌ  ｒａｔｅ），ＭＢＳ（ｍａｘｉｍｕｍ  ｂｕｒｓｔ  ｓｉｚｅ），ＣＤＶＴ（ｃｅｌｌ  ｄｅｌａｙ  ｖａｒｉａｔｉｏｎ  ｔｏｌｅｒａｎｃｅ）が規定されている。
ＰＣＲはセル転送率の最大値、ＳＣＲはセル転送率の平均値、ＭＣＲはセル転送率の最小値で、ＭＢＳはネットワークに入るセルの最大密度、ＣＤＶＴはセル転送揺らぎの許容値を示す。
【０００７】
品質要求パラメータには、ＣＤＶ（ｃｅｌｌ  ｄｅｌａｙ  ｖａｒｉａｔｉｏｎ），ＣＬＲ（ｃｅｌｌ  ｌｏｓｓ  ｒａｔｅ），ＣＴＤ（ｃｅｌｌ  ｔｒａｎｓｍｉｓｓｉｏｎ  ｄｅｌａｙ），ＣＥＲ（ｃｅｌｌ  ｅｒｒｏｒ  ｒａｔｅ）がある。ＣＤＶはゆらぎ、ＣＬＲは紛失率、ＣＴＤは遅延、ＣＥＲはエラー率を示す。
なお、サービスクラスによって使用するパラメータが異なるが、図１２はその様子を示す。
【０００８】
さらに、近年、無線を用いてＡＴＭセルを伝送する試みがなされている。例えば、１９９８年  ＮＴＴ  Ｒ＆Ｄ  ｖｏｌ．４７  Ｎｏ．６“［特集論文］ＡＴＭワイヤレスアクセス方式”に示されている。このようなシステムを無線ＡＴＭシステムということとする。
【０００９】
図１３は従来の無線ＡＴＭシステム（無線通信システム）を示す構成図であり、図において、１は無線基地局、２は無線基地局１が接続するＡＴＭ網、３は移動局、４は別の移動局である。
図１４は無線ＡＴＭシステムのプロトコルスタック例を示す無線ＡＴＭシステムのプロトコルスタック図であり、図において、１１は移動局のプロトコルスタック、１２は無線基地局のプロトコルスタック、１３はＡＴＭ網のプロトコルスタックである。
【００１０】
移動局と無線基地局の間は無線区間である。ＡＴＭセルを無線区間で伝送するために、移動局及び無線基地局は、無線レイヤという無線特有の物理レイヤが必要である。無線レイヤでは、誤り制御、多元接続制御、変復調などの機能を実現する。
【００１１】
無線レイヤにおいて、誤り制御や多元接続制御などを実行する際の管理単位を無線コネクションと呼ぶこととする。
無線コネクションの単位として、以下のような候補が検討されている。
（１）サービスクラス単位の管理
（２）ＡＴＭコネクション単位の管理
【００１２】
図１５は例えば特開平９−３２１７７２号公報に示された（１）のサービスクラス単位で無線コネクションを管理する場合の概念図である。図において、２１は無線基地局におけるＡＴＭレイヤ、２２は無線基地局における無線レイヤ、２３は移動局におけるＡＴＭレイヤ、２４は移動局における無線レイヤ、２５は無線基地局に収容されているサービスクラスＡに属するＡＴＭコネクション群、２６は無線基地局に収容されているサービスクラスＢに属するＡＴＭコネクション群、２７は無線基地局における無線コネクション、２８は移動局に収容されているサービスクラスＡに属するＡＴＭコネクション群、２９は移動局に収容されているサービスクラスＢに属するＡＴＭコネクション群、３０は移動局における無線コネクションである。
【００１３】
以下、概念図について説明する。
この無線ＡＴＭシステムでは、サービスクラスＡに属するＡＴＭコネクション２５，２８を３本収容し、サービスクラスＢに属するＡＴＭコネクション２６，２９を３本収容している。
【００１４】
全てのＡＴＭコネクションは、サービスクラス毎に一つの無線コネクションにマッピングされている（ＡＴＭレイヤにおける３本のＡＴＭコネクションが無線レイヤにおける１本の無線コネクションと接続されている）。
よって、ＡＴＭレイヤにおけるＡＴＭコネクション数に比べて、無線レイヤにおける無線コネクション数は減少するが、ＡＴＭコネクション毎の細かい管理が必要な場合でも、サービスクラス単位でのまとめた管理しかできない。
【００１５】
一方、図１６は（２）のＡＴＭコネクション単位で無線コネクションを管理する場合の概念図である。
以下、概念図について説明する。
この無線ＡＴＭシステムでは、サービスクラスＡに属するＡＴＭコネクション２５，２８を３本収容し、サービスクラスＢに属するＡＴＭコネクション２６，２９を３本収容している。
【００１６】
一つのＡＴＭコネクションは、一つの無線コネクションにマッピングされている（ＡＴＭレイヤにおける３本のＡＴＭコネクションは、それぞれ無線レイヤにおける３本の無線コネクションと個別に接続されている）。
よって、無線レイヤにおいてもＡＴＭコネクション毎の細かい管理が可能であるが、ＡＴＭレイヤにおけるＡＴＭコネクション数と無線レイヤにおける無線コネクション数は等しくなり、無線レイヤでの処理量が大きくなる。
【００１７】
【発明が解決しようとする課題】
従来の無線通信システムは以上のように構成されているので、サービスクラス単位又はＡＴＭコネクション単位の管理を固定的に実行することができるが、ＡＴＭコネクション単位で管理する場合、管理対象が増加して無線レイヤにおける処理が複雑になる。一方、サービスクラス単位で管理する場合、ＡＴＭコネクション毎に個別のＱｏＳ要求（サービス品質の要求）を受け付けることができなくなる課題があった。
【００１８】
この発明は上記のような課題を解決するためになされたもので、無線レイヤで管理する無線コネクション数の増加を抑制する一方、ＱｏＳ要求が厳しいＡＴＭコネクションについては個別に管理することができる無線通信システム及び無線通信方法を得ることを目的とする。
【００１９】
【課題を解決するための手段】
この発明に係る無線通信システムは、サービス品質の要求が厳しいクラスに属するＡＴＭコネクションについては無線コネクションと１対１で対応付ける一方、サービス品質の要求が緩やかなクラスに属するＡＴＭコネクションについては無線コネクションと多対１で対応付けるようにしたものである。
【００２０】
この発明に係る無線通信システムは、ＡＴＭコネクションのサービスパラメータを考慮して、ＡＴＭコネクションと無線コネクションの対応関係を定義するようにしたものである。
【００２１】
この発明に係る無線通信システムは、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けるようにしたものである。
【００２２】
この発明に係る無線通信システムは、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けるようにしたものである。
【００２３】
この発明に係る無線通信方法は、サービス品質の要求が厳しいクラスに属するＡＴＭコネクションについては無線コネクションと１対１で対応付ける一方、サービス品質の要求が緩やかなクラスに属するＡＴＭコネクションについては無線コネクションと多対１で対応付けるようにしたものである。
【００２４】
【発明の実施の形態】
以下、この発明の実施の一形態を説明する。
実施の形態１．
図１はこの発明の実施の形態１による無線通信システムのレイヤ構成を示す概念図であり、図において、５１は無線基地局におけるＡＴＭレイヤ、５２は無線基地局における無線レイヤ、５３は移動局におけるＡＴＭレイヤ、５４は移動局における無線レイヤ、５５は無線基地局に収容されているサービスクラスＡに属するＡＴＭコネクション群、５６は無線基地局に収容されているサービスクラスＢに属するＡＴＭコネクション群、５７は無線基地局における無線コネクション、５８は移動局に収容されているサービスクラスＡに属するＡＴＭコネクション群、５９は移動局に収容されているサービスクラスＢに属するＡＴＭコネクション群、６０は移動局における無線コネクションである。
【００２５】
以下、概念図について説明する。
サービスクラスＡは、ＱｏＳ要求が厳しく、しかもＡＴＭコネクション毎にＱｏＳ要求が異なるため、無線レイヤにおいてもコネクション毎に管理する必要性が高い。例えば、ＣＢＲクラスなどが該当する。
一方、サービスクラスＢは、ＱｏＳ要求が緩く、しかも各ＡＴＭコネクションのＱｏＳ要求が類似しているため、無線レイヤにおいては、ＡＴＭコネクションをサービスクラス毎にまとめて管理しても問題が少ない。例えば、ＵＢＲクラスなどが該当する。
【００２６】
この無線ＡＴＭシステムでは、サービスクラスＡに属するＡＴＭコネクション５５，５８を３本収容し、サービスクラスＢに属するＡＴＭコネクション５６，５９を３本収容している。
サービスクラスＡに属するＡＴＭレイヤの各ＡＴＭコネクションは、それぞれ無線レイヤにおける無線コネクションと個別に接続されている。即ち、ＡＴＭコネクションと無線コネクションは１対１にマッピングされている。
一方、サービスクラスＢに属するＡＴＭレイヤの各ＡＴＭコネクションは、無線レイヤにおける１本の無線コネクションと接続されている。即ち、ＡＴＭコネクションと無線コネクションは多対１にマッピングされている。
【００２７】
図２はこの発明の実施の形態１による無線通信システムを示す構成図であり、図において、６１はＡＴＭコネクションのサービスクラスを基準として、ＡＴＭレイヤにおけるＡＴＭコネクションと無線レイヤにおける無線コネクションの対応関係を定義するコネクション管理部（定義手段）、６２はＡＴＭコネクションと無線コネクションの対応関係を格納するマッピングテーブル、６３はＡＴＭセルの入出力等を制御するＡＴＭレイヤ処理部、６４はＡＴＭセルと無線コネクション識別子から構成される無線レイヤデータユニットの入出力等を制御する無線レイヤ処理部、６５はＡＴＭコネクションからデータ（例えば、ＡＴＭセル）を入力すると、マッピングテーブル６２を参照して、そのＡＴＭコネクションに対応する無線コネクションにデータ（例えば、無線レイヤデータユニット）を転送する一方、無線コネクションからデータ（例えば、無線レイヤデータユニット）を入力すると、マッピングテーブル６２を参照して、その無線コネクションに対応するＡＴＭコネクションにデータ（例えば、ＡＴＭセル）を転送するマッピング処理部（転送手段）である。
【００２８】
次に動作について説明する。
図３はマッピングテーブル６２を示すが、マッピングテーブル６２には、ＡＴＭレイヤ処理部６３の管理対象であるＡＴＭコネクションの識別子と、そのＡＴＭコネクションが属するサービスクラスの種別と、無線レイヤ処理部６４の管理対象である無線コネクションの識別子との対応関係が格納される。
【００２９】
コネクション管理部６１は、コネクション設定時あるいはコネクション開放時にマッピングテーブル６２の書換を実行し、マッピング処理部６５は、ＡＴＭレイヤ処理部６３又は無線レイヤ処理部６４からデータを入力するとき、マッピングテーブル６２を参照して、マッピング処理を実行する。
図３の例では、サービスクラスＡに属するＡＴＭコネクションは、上述したように、無線コネクションと１対１に対応する一方、サービスクラスＢに属するＡＴＭコネクションは、無線コネクションと３対１に対応する。
【００３０】
ここで、図４はコネクション管理部６１の処理を詳細に示すが、コネクション管理部６１は、ＡＴＭコネクションの設定が要求されると、そのＡＴＭコネクションが属するサービスクラスを判別する（ステップＳＴ１）。
ＡＴＭコネクションが属するサービスクラスがサービスクラスＡの場合は、無線レイヤでもＡＴＭコネクションを管理単位とするため、新たな無線コネクション識別子を割り当て、それとＡＴＭコネクション識別子との対応関係をマッピングテーブルに設定する（ステップＳＴ２）。
一方、ＡＴＭコネクションが属するサービスクラスがサービスクラスＢの場合は、無線レイヤではサービスクラスを管理単位とするため、既にサービスクラスＢとして設定されている無線コネクション識別子を検索し、その無線コネクション識別子とＡＴＭコネクション識別子との対応関係をマッピングテーブルに設定する（ステップＳＴ３）。
【００３１】
図５及び図６はマッピング処理部６５の処理を詳細に示すが、マッピング処理部６５は、ＡＴＭレイヤ処理部６３からＡＴＭセルが入力されると、ＡＴＭコネクション識別子をキーにして、そのＡＴＭコネクションに対応する無線コネクションの識別子をマッピングテーブル６２から取得する（ステップＳＴ１１）。
そして、マッピング処理部６５は、無線コネクション識別子を取得すると、そのＡＴＭセルに無線コネクション識別子を付加した無線レイヤデータユニットを無線レイヤ処理部６４に転送する（ステップＳＴ１２）。
【００３２】
逆に、無線レイヤ処理部６４から無線レイヤデータユニットが入力されると、その無線レイヤデータユニットを構成する無線コネクション識別子を削除し、ＡＴＭレイヤ処理部６３に通知する（ステップＳＴ２１）。
【００３３】
なお、ここではＡＴＭセルに無線コネクション識別子を付加したものを無線レイヤデータユニットとしているが、無線コネクション識別子を付加することは必須ではない。代わりに、無線レイヤデータユニットの時間的位置と無線コネクション識別子との関係を別手段にて対向の無線レイヤ処理部に通知することで同様の機能を実現することができる。
【００３４】
上記のように構成して処理を行うと、ＱｏＳ要求が厳しいサービスクラスのコネクションは、無線レイヤでもコネクション単位で扱うことができる一方で、ＱｏＳ要求が緩いサービスクラスのコネクションは、無線レイヤではサービスクラス単位にまとめて扱うことができる。
これにより、無線レイヤにおいて、各ＡＴＭコネクションのＱｏＳ要求に応じた処理が可能になるとともに、無線レイヤで管理すべき無線コネクション数の増加を防ぐことができる効果がある。
【００３５】
実施の形態２．
図７はこの発明の実施の形態２による無線通信システムのレイヤ構成を示す概念図であり、図において、７１は無線基地局におけるＡＴＭレイヤ、７２は無線基地局における無線レイヤ、７３は移動局におけるＡＴＭレイヤ、７４は移動局における無線レイヤ、７５は無線基地局に収容されているサービスクラスＡに属するＡＴＭコネクション群、７６は無線基地局に収容されているサービスクラスＢに属するＡＴＭコネクション群、７７は無線基地局における無線コネクション、７８は移動局に収容されているサービスクラスＡに属するＡＴＭコネクション群、７９は移動局に収容されているサービスクラスＢに属するＡＴＭコネクション群、８０は移動局における無線コネクションである。
【００３６】
以下、概念図について説明する。
この無線ＡＴＭシステムでは、サービスクラスＡに属するＡＴＭコネクション７５，７８を３本収容し、サービスクラスＢに属するＡＴＭコネクション７６，７９を３本収容している。
ただし、同じサービスクラスＡに属する３本のＡＴＭコネクションのうち、２本のＡＴＭコネクションは、サービスパラメータ値が類似しており、同一の無線コネクションにマッピングしても問題ないものとする。
【００３７】
サービスクラスＡに属する３つのＡＴＭコネクションのうち、１本のＡＴＭコネクションは、無線レイヤでも一つの無線コネクションにマッピングされているが、サービスパラメータ値が類似する残りの２本のＡＴＭコネクションは、同一の無線コネクションにマッピングされている。
また、サービスクラスＢに属する全てのＡＴＭコネクションは、同一の無線コネクションにマッピングされている。
【００３８】
次に動作について説明する。
図８はマッピングテーブルを示すが、図８の例では、サービスクラスＡに属するＡＴＭコネクションの中に、無線コネクションと１対１に対応しているものもあれば、２対１に対応しているものもある。一方、サービスクラスＢに属するＡＴＭコネクションは無線コネクションと３対１に対応している。
【００３９】
ここで、図９はコネクション管理部６１の処理を詳細に示すが、コネクション管理部６１は、ＡＴＭコネクションの設定が要求されると、そのＡＴＭコネクションが属するサービスクラスを判別する（ステップＳＴ３１）。
ＡＴＭコネクションが属するサービスクラスがサービスクラスＡの場合は、そのＡＴＭコネクションに要求されているサービスパラメータ値と、既に設定されているサービスクラスＡのＡＴＭコネクションのサービスパラメータ値を比較して、その類似性を判定する（ステップＳＴ３２）。
【００４０】
類似するＡＴＭコネクションが存在しない場合は、新たな無線コネクション識別子を割り当て、マッピングテーブル６２に設定する（ステップＳＴ３３）。
一方、類似するＡＴＭコネクションが存在する場合は、無線レイヤでは類似関係のあるコネクションをまとめて管理するため、既に設定されている無線コネクション識別子とＡＴＭコネクション識別子との対応関係をマッピングテーブルに設定する（ステップＳＴ３４）。
【００４１】
ＡＴＭコネクションが属するサービスクラスがサービスクラスＢの場合は、無線レイヤではサービスクラスを管理単位とするため、既にサービスクラスＢとして設定されている無線コネクション識別子を検索し、その無線コネクション識別子とＡＴＭコネクション識別子との対応関係をマッピングテーブルに設定する（ステップＳＴ３５）。
【００４２】
マッピング処理部６５の動作は上記実施の形態１と同様であるため説明を省略する。
なお、サービスクラスＢに属するＡＴＭコネクションの中でも、サービスパラメータ値が異なるため、無線レイヤでは異なる無線コネクションとして扱うようにすることも可能である。その場合は、図９のサービスクラスＢについての処理（ステップＳＴ３５）を、ステップＳＴ３２，ＳＴ３３，ＳＴ３４と同様の処理に置き変えることで実現できる。
【００４３】
上述のように構成して処理を行うと、ＱｏＳ要求が厳しく、しかもＡＴＭコネクション毎にＱｏＳ要求が異なるサービスクラスＡのＡＴＭコネクションでも、類似するサービスパラメータ値を有するＡＴＭコネクション同士を無線レイヤではまとめて扱うこともできる。
これにより、同一のサービスクラスのＡＴＭコネクションにおいても、まとめるかまとめないかの扱いを柔軟にできるため、無線レイヤにおいて、各ＡＴＭコネクションのＱｏＳ要求に応じた処理が可能になるとともに、無線レイヤで管理すべき無線コネクション数の増加を防ぐことができる効果がある。
【００４４】
【発明の効果】
以上のように、この発明によれば、サービス品質の要求が厳しいクラスに属するＡＴＭコネクションについては無線コネクションと１対１で対応付ける一方、サービス品質の要求が緩やかなクラスに属するＡＴＭコネクションについては無線コネクションと多対１で対応付けるように構成したので、サービス品質の要求度に応じた適切な管理単位を構築することができる効果がある。
【００４５】
この発明によれば、ＡＴＭコネクションのサービスパラメータを考慮して、ＡＴＭコネクションと無線コネクションの対応関係を定義するように構成したので、ＡＴＭコネクションと無線コネクションの対応関係をきめ細かく定義することができる効果がある。
【００４６】
この発明によれば、サービス品質の要求が厳しいクラスに属する複数のＡＴＭコネクションのサービスパラメータ値を相互に比較して、類似のサービスパラメータ値を有するＡＴＭコネクションを検出し、類似のサービスパラメータ値を有するＡＴＭコネクションについては例外的に同一の無線コネクションと対応付けるように構成したので、更にきめ細かく管理単位を構築することができる効果がある。
【００４７】
この発明によれば、サービス品質の要求が緩やかなクラスに属する複数のＡＴＭコネクションのサービスパラメータ値を相互に比較して、非類似のサービスパラメータ値を有するＡＴＭコネクションを検出し、非類似のサービスパラメータ値を有するＡＴＭコネクションについては例外的に異なる無線コネクションと対応付けるように構成したので、更にきめ細かく管理単位を構築することができる効果がある。
【００４８】
この発明によれば、サービス品質の要求が厳しいクラスに属するＡＴＭコネクションについては無線コネクションと１対１で対応付ける一方、サービス品質の要求が緩やかなクラスに属するＡＴＭコネクションについては無線コネクションと多対１で対応付けるように構成したので、サービス品質の要求度に応じた適切な管理単位を構築することができる効果がある。
【図面の簡単な説明】
【図１】この発明の実施の形態１による無線通信システムのレイヤ構成を示す概念図である。
【図２】この発明の実施の形態１による無線通信システムを示す構成図である。
【図３】マッピングテーブルを示す表図である。
【図４】コネクション管理部の処理を詳細に示すフローチャートである。
【図５】マッピング処理部の処理を詳細に示すフローチャートである。
【図６】マッピング処理部の処理を詳細に示すフローチャートである。
【図７】この発明の実施の形態２による無線通信システムのレイヤ構成を示す概念図である。
【図８】マッピングテーブルを示す表図である。
【図９】コネクション管理部の処理を詳細に示すフローチャートである。
【図１０】ＡＴＭで提供するサービスクラスの種類と概要を示す説明図である。
【図１１】ＡＴＭでのトラヒック特性と品質に関するパラメータの種類と概要を示す説明図である。
【図１２】ＡＴＭにおけるサービスクラスとパラメータの対応関係を示す表図である。
【図１３】従来の無線通信システムを示す構成図である。
【図１４】無線ＡＴＭシステムのプロトコルスタック図である。
【図１５】サービスクラス単位で無線コネクションを管理する場合のレイヤ構成の概念図である。
【図１６】ＡＴＭコネクション単位で無線コネクションを管理する場合のレイヤ構成の概念図である。
【符号の説明】
６１  コネクション管理部（定義手段）、６５  マッピング処理部（転送手段）。
【図１】
0003587996.tif 000002
【図２】
0003587996.tif 000003
【図３】
0003587996.tif 000004
【図４】
0003587996.tif 000005
【図５】
0003587996.tif 000006
【図６】
0003587996.tif 000007
【図７】
0003587996.tif 000008
【図８】
0003587996.tif 000009
【図９】
0003587996.tif 000010
【図１０】
0003587996.tif 000011
【図１１】
0003587996.tif 000012
【図１２】
0003587996.tif 000013
【図１３】
0003587996.tif 000014
【図１４】
0003587996.tif 000015
【図１５】
0003587996.tif 000016
【図１６】
0003587996.tif 000017